(57)【特許請求の範囲】
【請求項１】
少なくとも２つの薄板状部材が折り畳み自在に連設された外装部と、
前記薄板状部材を開いた状態で、その内面側に立体構造をなすように形成された立体構造部と、
前記立体構造部の表面側に、ホログラム又はホログラフィックステレオグラムを支持するように配設されたホログラム支持部と、を備え、
前記外装部は、前記薄板状部材を開く回転軸の方向が、前記ホログラム支持部により支持するホログラム又はホログラフィックステレオグラムの再生に適した照明光の入射方向と略同一方向となるようにされている、ホログラム包装体。
【請求項２】
前記立体構造部は、一端を前記ホログラム支持部に取り付け、且つ他端を前記外装部に取り付けた、可撓性を有するアーム部からなり、
前記アーム部の、前記ホログラム支持部との取付部位の幅を、前記外装部との取付部位の幅よりも小さくなるようにした、請求項１に記載のホログラム包装体。
【請求項３】
少なくとも２つの薄板状部材が折り畳み自在に連設された外装部と、
前記薄板状部材を開いた状態で、その内面側に立体構造をなすように形成された立体構造部と、
前記立体構造部の表面側に、ホログラム又はホログラフィックステレオグラムを支持するように配設されたホログラム支持部と、
前記ホログラム支持部に固定されたホログラム又はホログラフィックステレオグラムとを備え、
前記外装部は、前記薄板状部材を開く回転軸の方向が、前記ホログラム又はホログラフィックステレオグラムの再生に適した照明光の入射方向と略同一方向とされている、ホログラム展示装置。
【請求項４】
前記立体構造部は、一端を前記ホログラム支持部に取り付け、且つ他端を前記外装部に取り付けた、可撓性を有するアーム部からなり、
前記アーム部は、前記ホログラム支持部との取付部位の幅を、前記外装部との取付部位の幅よりも小さくなるようにした、請求項３に記載のホログラム展示装置。
【発明の詳細な説明】
【０００１】
【発明の属する分野】
本発明は、ホログラム又はホログラフィックステレオグラムのホログラム面を保護しながらこれを包装するホログラム包装体に関する。また、本発明は、ホログラム又はホログラフィックステレオグラムを展示するホログラム展示装置に関する。
【０００２】
【従来の技術】
ホログラムは、再生光が入射されることによって立体画像（ホログラム像）を再生することが可能とされている。この再生光としては、例えばレーザ光などのようにコヒーレントな光が必要とされる場合もあるが、例えばいわゆるレインボーホログラムやリップマンホログラム等を再生する場合には、ハロゲンランプや自然光などのインコヒーレントな白色光源を再生光として用いることができる。
【０００３】
このように再生光として白色光源を用いることが可能なホログラムは、従来から、立体画像を再生することが可能なホログラムが、例えばクレジットカードにおける偽造防止等の目的で広く利用されている。また、例えば、鑑賞目的でホログラム像を展示する装置として、各種のホログラム展示装置が利用されている。
【０００４】
ホログラムに再生光が入射されると、記録時における物体光の波面が再生され、この波面が観察者によってホログラム像として観察されることとなる。
【０００５】
また、ホログラムの一種としては、いわゆるホログラフィックステレオグラムと称されるものがある。ホログラフィックステレオグラムは、例えば、被写体を異なる観察点から順次撮像することによって得られた多数の画像を原画として、これらを１枚のホログラム用記録媒体に短冊状又はドット状の要素ホログラムとして順次露光記録することによって作製される。
【０００６】
例えば、横方向のみに視差情報を有するホログラフィックステレオグラムは、図１８に示すように、被写体２００を横方向の異なる観察点から順次撮影することによって得られた複数の原画２０１ａ〜２０１ｅを、所定の光学系を有するホログラフィックステレオグラム作製装置における表示器に順次表示し、表示された画像にレーザ光を照射することで画像変調した物体光と参照光との干渉によって生じる干渉縞を短冊状の要素ホログラムとしてホログラム用記録媒体１０２に順次露光記録することによって作製される。
【０００７】
このようにして作製されたホログラフィックステレオグラムは、横方向の異なる観察点から順次撮影することによって得られた画像情報が、短冊状の要素ホログラムとして横方向に順次記録されていることから、観察者がこれをある位置から片方の目で見た場合には、各要素ホログラムの一部分として記録されている画像情報の集合体が２次元画像として識別され、また、この位置とは異なる他の位置から片方の目で見た場合には、各要素ホログラムの他の一部分として記録されている画像情報の集合体が他の２次元画像として識別される。したがって、ホログラフィックステレオグラムは、観察者がこれを両目で見た場合には、左右の目の視差により、露光記録画像が３次元画像として認識される。
【０００８】
ところで、上述したようなホログラフィックステレオグラム等のホログラムを良好に再生してホログラム像の視認性を向上させるためには、光源から再生光として放射される光の発散角をホログラムの記録時における参照光に近い状態とすることが求められる。したがって、ホログラムを再生する場合には、このホログラムと光源や観察者との空間的な位置関係、或いはこれらの物理的な形状などに応じて、観察されるホログラム像の視認性や画質が変化する。
【０００９】
したがって、特に鑑賞目的でホログラムを展示する場合には、ホログラム、光源、及び観察者の位置関係を制限することによってホログラム像の良好な再生を可能とすることが要求される。
【００１０】
このようなホログラム展示装置としては、例えば、特開平１０−０６３２１０号公報に記載されているように、ホログラムと、このホログラムに再生光を照射する光源とを備えるものが各種提案されている。
【００１１】
【発明が解決しようとする課題】
ところで、従来のホログラム展示装置は、上述のようにホログラム、光源、及び観察者の位置関係を制限してホログラム像の視認性を向上させるために、ホログラムに対して再生光を照明する光源や光学系が複雑で大掛かりな構造とされており、大きな体積や重量を有する立体構造物とされている。したがって、従来のホログラム展示装置は、輸送や運搬に多くの労力が必要であった。
【００１２】
また、ホログラムは、輸送中や運搬中にホログラム面に破損や損傷などが生じると、ホログラム像の視認性が劣化してしまうといった虞があった。
【００１３】
そこで、本発明は、上述した従来の実情に鑑みてなされたものであり、輸送中や運搬中にホログラム又はホログラフィックステレオグラムに破損や損傷が生じてしまうことを防止するとともに、ホログラム像を良好に再生することが可能なホログラム包装体、ホログラム展示装置、及びホログラム包装方法を提供することを目的とする。
【００１４】
【課題を解決するための手段】
本発明に係るホログラム包装体は、少なくとも２つの薄板状部材が折り畳み自在に連設された外装部と、薄板状部材を開いた状態で、その内面側に立体構造をなすように形成された立体構造部と、立体構造部の表面側に、ホログラム又はホログラフィックステレオグラムを支持するように配設されたホログラム支持部と、を備える。
外装部は、薄板状部材を開く回転軸の方向が、ホログラム支持部により支持するホログラム又はホログラフィックステレオグラムの再生に適した照明光の入射方向と略同一方向となるようにされている。
【００１５】
また、本発明に係るホログラム展示装置は、少なくとも２つの薄板状部材が折り畳み自在に連設された外装部と、薄板状部材を開いた状態で、その内面側に立体構造をなすように形成された立体構造部と、立体構造部の表面側に、ホログラム又はホログラフィックステレオグラムを支持するように配設されたホログラム支持部と、を備える。
外装部は、薄板状部材を開く回転軸の方向が、ホログラム支持部により支持するホログラム又はホログラフィックステレオグラムの再生に適した照明光の入射方向と略同一方向となるようにされている。
【００１６】
以上のように構成された本発明に係るホログラム包装体及びホログラム展示装置は、例えば、ホログラム又はホログラフィックステレオグラムを輸送・運搬する場合、或いは収納する場合には、外装部を折畳むことによって厚さを薄くすることができる。また、このように外装部を折畳んだ状態で、外装部によってホログラム又はホログラフィックステレオグラムが挟持されることとなり、これによりホログラム面が保護された状態となる。
【００１７】
また、本発明に係るホログラム包装体及びホログラム展示装置においては、外装部を開いた状態で立体構造をなす立体構造部が外装部の内面に配設され、この立体構造部にホログラム又はホログラフィックステレオグラムが取り付けられることとなる。したがって、この立体構造部による立体表現とホログラム像による立体表現との相乗効果により、極めて効果的な３次元表現を行うことができる。
【００１８】
さらに、本発明に係るホログラム包装体及びホログラム展示装置においては、外装部を開いた状態で、この外装部によってホログラム又はホログラフィックステレオグラムに入射する光の方向を制限することができることから、このホログラム又はホログラフィックステレオグラムにより再生されるホログラム像の視認性を向上させることができる。
【００２１】
【発明の実施の形態】
以下では、本発明の実施の形態について、図面を参照しながら詳細に説明する。本発明は、ホログラム又はホログラフィックステレオグラムを包装体や展示装置に取り付ける場合に適用されるものである。
【００２２】
そこで、以下では、本発明を適用した包装体や展示装置についての説明に先だって、これら包装体や展示装置に取り付けられるホログラムやホログラフィックステレオグラムの一例として、ホログラフィックステレオグラムについて具体的に説明する。
【００２３】
まず、ホログラム用記録媒体に対する要素ホログラムの露光記録原理について説明する。
【００２４】
ホログラム用記録媒体３は、図１に示すように、例えばポリエチレンテレフタラート（PolyEthylene Terephthalate；以下、ＰＥＴという。）フィルムからなる支持材料たるベースフィルム４の上に光重合型フォトポリマからなる記録層たるフォトポリマ層５が形成されるとともに、このフォトポリマ層５の上に、例えばＰＥＴフィルムからなる支持材料たるカバーフィルム６が被着形成されてなり、いわゆるフィルム塗布型記録媒体として構成されている。
【００２５】
このようなホログラム用記録媒体３は、図２（Ａ）に示すように、フォトポリマ層５を構成する光重合型フォトポリマが、初期状態においてはマトリクスポリマ中にモノマＭが均一に分散している状態にある。光重合型フォトポリマは、１０ｍＪ／ｃｍ２乃至４００ｍＪ／ｃｍ２のパワーを有するレーザ光ＬＡが照射されることにより、同図（Ｂ）に示すように、露光部においてマトリクスポリマ中に均一に分散していたモノマＭが重合してポリマ化した状態となる。
【００２６】
光重合型フォトポリマは、ポリマ化するにつれて、モノマＭが周囲から移動することによりモノマＭの濃度の不均一さが生じ、これにより露光部と未露光部とで屈折率の変調が生じる。光重合型フォトポリマは、この後、同図（Ｃ）に示すように、１０００ｍＪ／ｃｍ２程度のパワーの紫外線又は可視光ＬＢが全面に照射されることにより、マトリクスポリマ中においてモノマＭの重合が完了する。
【００２７】
ホログラム用記録媒体３においては、上述のように、フォトポリマ層５を構成する光重合型フォトポリマが、入射されたレーザ光ＬＡに応じて屈折率が変化することによって、物体光と参照光との干渉によって生じる干渉縞を屈折率の変化として露光記録される。
【００２８】
また、ホログラム用記録媒体３は、いわゆるフィルム塗布型記録媒体として構成されていることから、露光記録後に、特別な現像処理を施す工程が不要とされている。したがって、このようなホログラム用記録媒体３を用いてホログラム像を記録することによって、ホログラフィックステレオグラム作製装置において現像工程を行う構造が不要となり、装置構成を簡易化することができるとともに、ホログラフィックステレオグラムを迅速に作製することができる。
【００２９】
ここで、上述したホログラム用記録媒体３を用いてホログラフィックステレオグラムを作製するホログラフィックステレオグラム作製装置について説明する。
【００３０】
なお、以下の説明においては、短冊状の複数の要素ホログラムを１つのホログラム用記録媒体３に露光記録することにより、横方向の視差情報を有するホログラフィックステレオグラムを作製するものとして説明する。ただし、ホログラフィックステレオグラムは、例えば、ドット状の複数の要素ホログラムを１つのホログラム用記録媒体に露光記録することにより、横方向及び縦方向の視差情報を有するものであってもよいことは云うまでもない。
【００３１】
ホログラフィックステレオグラム作製装置１０は、図３に示すように、感光フィルムからなるホログラム用記録媒体３に対してホログラフィックステレオグラム画像を露光記録するものである。ホログラフィックステレオグラム作製装置１０は、露光記録対象の画像データの処理を行う画像データ処理部１１と、当該ホログラフィックステレオグラム作製装置１０を統括的に制御する制御用コンピュータ１２と、ホログラフィックステレオグラム作製用の光学系を有するホログラフィックステレオグラム作製部１３とを備える。
【００３２】
画像データ処理部１１は、少なくとも画像処理用コンピュータ１４及び記憶装置１５を有し、例えば多眼式カメラや移動式カメラ等を有する視差画像列撮像装置１から供給される視差情報を含む撮像画像データＤ１や、画像データ生成用コンピュータ２によって生成された視差情報を含むコンピュータ画像データＤ２等の画像データに基づいて、視差画像データ列Ｄ３を生成する。
【００３３】
なお、撮像画像データＤ１は、例えば多眼式カメラによる同時撮影又は移動式カメラによる連続撮影によって得られた複数の画像データであり、撮像画像データＤ１を構成する各画像データ間には視差情報が含まれる。また、コンピュータ画像データＤ２は、例えばＣＡＤ（Computer Aided Design）やＣＧ（Computer Graphics）として作成された複数の画像データであり、コンピュータ画像データＤ２を構成する各画像データ間には視差情報が含まれる。
【００３４】
画像データ処理部１１は、これらの撮像画像データＤ１及び／又はコンピュータ画像データＤ２に基づく視差画像データ列Ｄ３に対して、画像処理用コンピュータ１４によってホログラフィックステレオグラム用の所定の画像処理を施してホログラム画像データＤ４を生成する。ホログラム画像データＤ４は、例えばメモリやハードディスク装置等の記憶装置１５に一時的に格納される。画像データ処理部１１は、後述するように、ホログラム用記録媒体３に対して要素ホログラム画像を露光記録する際に、記憶装置１５に格納されたホログラム画像データＤ４から１画像分毎の要素ホログラム画像データＤ５を順次読み出し、これらの要素ホログラム画像データＤ５を、制御用コンピュータ１２に供給する。
【００３５】
制御用コンピュータ１２は、ホログラフィックステレオグラム作製部１３を制御して、画像データ処理部１１から供給された要素ホログラム画像データＤ５に基づく要素表示画像を、ホログラフィックステレオグラム作製部１３の一部に設けられたホログラム用記録媒体３に短冊状の要素ホログラムとして順次露光記録させる。この際、制御用コンピュータ１２は、後述するように、ホログラフィックステレオグラム作製部１３の各機構の動作を制御する。
【００３６】
ホログラフィックステレオグラム作製部１３は、光学系を構成する各部材が図示しない支持基板（光学定盤）に配設支持されるとともに、この支持基板が図示しないダンパ等を介して装置筐体に支持された構造とされている。ホログラフィックステレオグラム作製部１３は、ホログラフィックステレオグラム作製用の光学系として、入射光学系、物体光学系及び参照光学系を有する。なお、ホログラフィックステレオグラム作製装置１０は、感光材であるホログラム用記録媒体３を用いることから、装置筐体は、少なくとも光学系の遮光性を保持した構造となっている。
【００３７】
ホログラフィックステレオグラム作製部１３は、図４（Ａ）に示すように、入射光学系として、所定の波長のレーザ光を出射するレーザ光源２１と、このレーザ光源２１からのレーザ光Ｌ１の光軸上に配されてレーザ光Ｌ１を後段へ入射させる又は遮断するシャッタ機構２２と、レーザ光Ｌ１を物体光Ｌ２と参照光Ｌ３とに分割するハーフミラー２３とを有する。
【００３８】
レーザ光源２１は、例えば単一波長で且つ干渉性のよいレーザ光Ｌ１を出射する半導体励起ＹＡＧレーザ装置、水冷アルゴンイオンレーザ装置又は水冷クリプトンレーザ装置等のレーザ装置から構成される。
【００３９】
シャッタ機構２２は、要素ホログラム画像データＤ５の出力タイミングに対応して制御用コンピュータ１２から出力された制御信号Ｃ１によって開閉動作され、レーザ光Ｌ１を後段の光学系へと入射させる、又は、レーザ光Ｌ１の後段の光学系への入射を遮断する。
【００４０】
ハーフミラー２３は、入射されたレーザ光Ｌ１を透過光と反射光とに分割する。レーザ光Ｌ１は、透過光が上述した物体光Ｌ２として用いられる一方、反射光が参照光Ｌ３として用いられる。これらの物体光Ｌ２と参照光Ｌ３とは、それぞれ、後段に設けられた物体光学系又は参照光学系に入射される。
【００４１】
なお、入射光学系には、図示しないが、レーザ光Ｌ１の進行方向を適宜変化させ、物体光Ｌ２と参照光Ｌ３との光路長を同一にすること等を目的としてミラー等を設けてもよい。また、シャッタ機構２２は、例えば、シャッタ片を機械的に駆動するように構成したものや、音響光学変調器（Acousto-Optic Modulation；ＡＯＭ）を用いた電子シャッタによって構成したものであってもよい。すなわち、シャッタ機構２２は、レーザ光Ｌ１を遮蔽及び透過可能とする開閉自在なものであればよい。
【００４２】
また、ホログラフィックステレオグラム作製部１３は、図４（Ａ）及び図４（Ｂ）に示すように、物体光学系として、ミラー２４、スペーシャルフィルタ２５、コリメータレンズ２６、投影レンズ２７、シリンドリカルレンズ２８及びマスク２９等の光学部品を有し、これらの各光学部品を光軸に沿ってその入力側から順次配列させている。
【００４３】
ミラー２４は、ハーフミラー２３を透過した物体光Ｌ２を反射する。このミラー２４によって反射された物体光Ｌ２は、スペーシャルフィルタ２５へと入射される。
【００４４】
スペーシャルフィルタ２５は、例えば凸レンズとピンホールとを組み合わせて構成されており、ミラー２４によって反射された物体光Ｌ２を後述する透過型液晶表示器３０の表示面幅に対応して等方的に拡大させる。
【００４５】
コリメータレンズ２６は、スペーシャルフィルタ２５によって拡大された物体光Ｌ２を、平行光化して透過型液晶表示器３０へと導光する。
【００４６】
投影レンズ２７は、物体光Ｌ２を若干拡散させ、シリンドリカルレンズ２８へと投影する。この投影レンズ２７は、物体光Ｌ２を若干拡散させることにより、作製されるホログラフィックステレオグラムの画質の向上に寄与するものである。
【００４７】
シリンドリカルレンズ２８は、平行光化された物体光Ｌ２を横方向に対して集光する。
【００４８】
マスク２９は、短冊状の開口部を有しており、シリンドリカルレンズ２８によって集光された物体光Ｌ２のうち、開口部を通過したものを、ホログラム用記録媒体３へと入射させる。
【００４９】
また、物体光学系には、コリメータレンズ２６と投影レンズ２７との間に位置して透過型液晶表示器３０が配設されている。透過型液晶表示器３０には、制御用コンピュータ１２から供給された要素ホログラム画像データＤ５に基づいて、要素ホログラム画像が順次表示される。なお、制御用コンピュータ１２は、要素ホログラム画像データＤ５の出力タイミングに対応して、駆動信号Ｃ２を後述するホログラム用記録媒体３の記録媒体送り機構３４に供給し、その動作制御を行うことにより、ホログラム用記録媒体３の送り動作を制御する。
【００５０】
このような物体光学系においては、入射光学系から分割されて入射される細いビーム状である物体光Ｌ２が、スペーシャルフィルタ２５によって拡大されるとともに、コリメータレンズ２６に入射することで平行光とされる。さらに、物体光学系においては、コリメータレンズ２６を介して透過型液晶表示器３０に入射された物体光Ｌ２が、この透過型液晶表示器３０に表示された要素ホログラム画像に応じて画像変調されるとともに、投影レンズ２７を介してシリンドリカルレンズ２８へと入射される。そして、物体光学系は、シャッタ機構２２が開放動作されている間、画像変調された物体光Ｌ２をマスク２９の開口部を介してホログラム用記録媒体３に入射させ、要素ホログラム画像に対応してこれを露光記録する。
【００５１】
さらに、ホログラフィックステレオグラム作製部１３は、参照光学系として、スペーシャルフィルタ３１、コリメータレンズ３２及びミラー３３を有し、これらの各光学部品を光軸に沿ってその入力側から順次配列させている。
【００５２】
スペーシャルフィルタ３１は、上述した物体光学系におけるスペーシャルフィルタ２５とは異なり、例えばシリンドリカルレンズとスリットとが組み合わされて構成され、ハーフミラー２３によって反射分割された参照光Ｌ３を所定幅、具体的には、透過型液晶表示器３０の表示面幅に対応して１次元方向に拡大させる。
【００５３】
コリメータレンズ３２は、スペーシャルフィルタ３１によって拡大された参照光Ｌ３を平行光化する。
【００５４】
ミラー３３は、参照光Ｌ３を反射させてホログラム用記録媒体３の後方へと導光して入射させる。
【００５５】
このような光学系を備えるホログラフィックステレオグラム作製部１３は、ハーフミラー２３によって分割された物体光Ｌ２が通過する光学系である物体光学系と、参照光Ｌ３が通過する光学系である参照光学系との光路長がほぼ同一に構成されている。したがって、ホログラフィックステレオグラム作製部１３は、物体光Ｌ２と参照光Ｌ３との干渉性の向上が図られて、より鮮明な再生像が得られるホログラフィックステレオグラムを作製することができる。
【００５６】
さらに、ホログラフィックステレオグラム作製装置１０は、ホログラム用記録媒体３を図４（Ｂ）中の矢印で示す方向へと１要素ホログラム分だけ間欠送りする記録媒体送り機構３４を備える。
【００５７】
記録媒体送り機構３４は、制御用コンピュータ１２から供給される駆動信号Ｃ２に基づいて、ホログラム用記録媒体３を間欠的に走行駆動する。また、ホログラフィックステレオグラム作製装置１０は、この記録媒体送り機構３４の動作に連動して制御用コンピュータ１２から供給される制御信号Ｃ１に基づいて、上述したシャッタ機構２２が動作されてレーザ光Ｌ１の光路を開放する。
【００５８】
このようなホログラフィックステレオグラム作製装置１０は、１要素画像分の露光記録終了毎に制御用コンピュータ１２から１要素ホログラムに対応した駆動信号Ｃ２が記録媒体送り機構３４に対して供給されることにより、ホログラム用記録媒体３を１要素ホログラムに対応した量だけ走行路に沿って走行駆動させ、マスク２９の開口部に未露光部位を対応させて停止させる。なお、ホログラフィックステレオグラム作製装置１０は、ホログラム用記録媒体３の走行動作に伴って当該ホログラム用記録媒体３に生じた振動が速やかに停止されるように構成される。
ここで、ホログラム用記録媒体３は、長尺状の感光フィルムからなり、図示しないが、例えば全体が遮光状態に保持されたフィルムカートリッジの内部に回転自在に設けられた供給ロールに巻回されている。ホログラム用記録媒体３は、このフィルムカートリッジがホログラフィックステレオグラム作製装置１０に装填されると、ホログラフィックステレオグラム作製装置１０の内部に繰り出され、記録媒体送り機構３４によって走行路を走行駆動させられる。
【００５９】
ホログラフィックステレオグラム作製装置１０は、この状態でシャッタ機構２２が開放動作されてホログラム用記録媒体３に対してその表裏面から画像変調された物体光Ｌ２と参照光Ｌ３とをホログラム用記録媒体３に入射させ、要素ホログラム画像に対応した干渉縞を露光記録する。ホログラフィックステレオグラム作製装置１０は、１要素画像の露光記録が終了すると制御用コンピュータ１２から記録媒体送り機構３４に対して駆動信号Ｃ２が供給され、ホログラム用記録媒体３を速やかに所定量だけ走行駆動させ停止させる。
【００６０】
さらに、ホログラフィックステレオグラム作製装置１０は、図示しない定着処理部により、ホログラム用記録媒体３に対する紫外線の照射処理と、ホログラム用記録媒体３に対する所定温度での加熱処理とからなる定着処理を行い、ホログラム用記録媒体３に対して露光記録されたホログラフィックステレオグラム画像を定着させる。ホログラフィックステレオグラム作製装置１０は、定着処理が施されたホログラム用記録媒体３を、ホログラフィックステレオグラム画像毎に所定の大きさに順次切り抜き、１枚のホログラフィックステレオグラムとして外部に排出する。
【００６１】
ホログラフィックステレオグラム作製装置１０は、以下順次この動作を行うことにより、長尺状のホログラム用記録媒体３に対して、複数のホログラフィックステレオグラム画像を順次露光記録し、１枚のホログラフィックステレオグラム画像が露光記録されたホログラフィックステレオグラムを作製する。
【００６２】
つぎに、以下では、本発明を適用して構成され、上述のようにして作成されたホログラフィックステレオグラムや、各種のホログラムが取り付けられるホログラム包装体及びホログラム展示装置の一構成例として、図５に示すようなポストカード５０について説明する。
【００６３】
ポストカード５０は、図５に示すように、例えば紙や薄板状に形成された樹脂材料などによって形成された外装部５１を有する。外装部５１は、同図中Ａ−Ａ線で示す位置（以下、折り部と称する。）で折り畳み自在とされており、この折り部によって２つの薄板状部材５１ａ，５１ｂに分割された構造とされている。言い換えると、ポストカード５０は、２つの薄板状部材５１ａ，５１ｂが折り部で連設され、この折り部で折り畳み自在とされている。
【００６４】
また、外装部５１には、開いた状態での内面側（すなわち折り部が谷折りとなる側）に位置して、立体構造部５２が取り付けられている。立体構造部５２は、外装部５１と同様に、例えば紙や薄板状に形成された樹脂材料によって形成されており、図５中Ｂ−Ｂ線で示す位置で、外装部５１の内面側からみて山折りとされている。
【００６５】
また、立体構造部５２は、山折りとされたことにより分割されてなる部位の端部に、それぞれ係止片５２ａが形成されており、これら係止片５２ａがそれぞれ薄板状部材５１ａ，５１ｂの所定の位置に、例えば接着剤などによって外装部５１の折り部と平行な方向に固定されている。すなわち、係止片５２ａは、いわゆる「のりしろ」としての機能を有している。
【００６６】
ここで、立体構造部５２は、山折りされたことにより分割された２つの部位が、外装部５１を９０°の角度で開いた状態で、この外装部５１における２つの薄板状部材５１ａ，５１ｂとそれぞれ略々平行となるように取り付けられている。
【００６７】
立体構造部５２は、上述のように外装部５１に取り付けられていることによって、外装部５１を閉じた状態のときに、山折りとされた位置で折り畳まれた状態となる。また、立体構造部５２は、外装部５１を開くに伴って山折りとされた位置が開き、全体として立体構造を呈することとなる。
【００６８】
なお、立体構造部５１は、図５に示す構造とすることに限定されるものではなく、外装部５１を開いた状態における立体構造については、立体構造部５２における全体の形状、折りの位置及び形状、或いは外装部５１に対して取り付ける位置や向きなどに応じて、任意の構造とすることができる。
【００６９】
具体的には、例えば、立体構造部５２の全体形状を台形とし、薄板状部材５１ａ，５１ｂのそれぞれに対して、外装部５１の折り部とは平行でない方向に取り付けることによって、外装部５１を開くに伴って斜め方向に立体構造部５２が飛び出すような構造とすることもできる。
【００７０】
また、立体構造部５１は、上述したように、外装部５１とは別の部材を新たに取り付けることにより構成することに限定されるものではなく、例えば図６に示すように、外装部５１のうちの一部が切り出されることによって構成されていてもよい。なお、図６に示す例においては、外装部５１の折り部に対して垂直な方向に、互いに平行に同じ長さで切れ込みを形成し、これらの切れ込みによって分断された領域を、外装部５１全体の折り部とは逆向きに（すなわち、山折りで）折り込んだ場合について示している。
【００７１】
このように外装部５１のうちの一部を切り出すことによって立体構造部５１を構成することにより、別の部材を取り付けるために要する手間を不要とすることができる。ただし、この場合には、外装部５１を裏面側（すなわち立体構造部５２が立体として飛び出す側とは反対側）から見たときに立体構造部５１を構成するために切り出した分に相当する穴部が生じてしまうため、美観を損ねる虞が生じる。したがって、この場合には、外装部５１の裏面側に、この外装部５１と略々同等の大きさの別の部材を貼り付けることが望ましい。これによって、外装部５１を閉じた状態における美観を確保することができる。
【００７２】
ポストカード１は、以上のように構成された立体構造部５１の表面（すなわち立体構造部５１が立体として飛び出す側）における所定の部位に、各種のホログラム又はホログラフィックステレオグラム（以下では、単にホログラム５３と称する。）が取り付けされる。
【００７３】
具体的には、例えば、図７に示すように、立体構造部５１の一主面に薄板状とされたホログラム５３の一端を固定することにより、このホログラム５３が立体構造部５１に取り付けられる。なお、このようにホログラムを取り付けるに際しては、例えば、立体構造部５１におけるホログラム５３の取付部位に、例えば粘着剤や接着剤などを塗布することによって固定することができる。また、例えば、各種の粘着テープや接着テープなどによって固定するとしてもよい。
【００７４】
ポストカード１においては、このように立体構造部５２にホログラム５３が取り付けられていることによって、外装部５１を閉じた状態でホログラム５３が立体構造部５１とともに折り畳まれた状態とされ、全体として平坦なカード状を呈することとなる。また、ポストカード１においては、外装部５１を開くに伴って、立体構造部５１とともにホログラム５２が起き上がり、全体として立体構造を呈することとなる。
【００７５】
なお、図７に示す例においては、ホログラム５３が立体構造部５１の一主面に直接取り付けられていることから、この面が、ホログラム５３を支持するホログラム支持部としての機能を有していることとなる。
【００７６】
以上のように構成されたポストカード１は、外装部５１を閉じた状態で、この外装部５１がホログラム５３を挟持した状態となるとともに、全体として折り畳まれて厚さが薄くなる。そして、ポストカード１は、この状態（折り畳まれた状態）で、例えば封筒等に封入され、郵送される。また、ポストカード１は、外装部５１を開いた状態とすることによって、ホログラム５３を鑑賞することができる。
【００７７】
このように、ポストカード１は、ホログラム５３を外装部５１によって挟持された状態で輸送・運搬したり、或いは収納することができる。したがって、ホログラム５３のホログラム面を外装部５１によって保護することができ、ホログラム面に破損や損傷などが生じてしまうことがない。また、輸送・運搬時や収納時には、全体が折り畳まれて厚さが薄くなることから、優れた可搬性を備えているといった特徴を有している。
【００７８】
また、ポストカード１は、外装部５１を開いた状態で、ホログラム５３を支持する立体構造部５２が立体構造を呈することから、この立体構造部５２による立体表現とホログラム５３のホログラム像による立体表現との相乗効果により、極めて効果的な３次元表現を行うことができる。
【００７９】
なお、ポストカード１においては、例えば図８に示すように、外装部５１の内面側（すなわち立体構造部５１が立体として飛び出す側）、或いは外面側（すなわち立体構造部５１が立体として飛び出す側とは反対側）に、例えば人物や風景などの図や写真などが印刷されていたり、立体構造部５１と同様な構造とされて外装部５１を開いたときに立体的に飛び出す飛び出し部５４が設けられていてもよい。
【００８０】
これにより、ホログラム５３のホログラム像が周囲の図や写真、或いは飛び出し部５４の中に配置されることになり、ホログラム像による立体感を強調することができる。
【００８１】
なお、上述の例においては、ポストカード１における外装部５１が２つの薄板状部材５１ａ，５１ｂによって構成され、これらが２つ折りで折り畳まれる場合について説明したが、ポストカード１は、２つ折りとすることに限定されるものではなく、例えば３つ以上の薄板状部材によって外装部５１が構成され、３つ折り以上に折り畳むことが可能とされていてもよい。
【００８２】
また、ポストカード１は、ホログラム５３を１つだけ備えることに限定されるものではなく、例えば２つ以上のホログラム５３を備えるとしてもよい。
【００８３】
また、上述の例においては、ポストカード１における外装部５１が紙等によって平面状に形成され、立体構造部５２にホログラム５３が接着されている場合を想定しているが、ポストカード１は、このような構成とすることに限定されるものではない。
【００８４】
ポストカード１においては、例えば図９に示すように、外装部５１における薄板状部材５１ａ，５１ｂが、所定の厚さで形成されていてもよい。このように薄板状部材５１ａ，５１ｂの厚さを厚くすることによって、外装部５１における機械的強度を向上させることが容易となることから、ホログラム５３に対する保護を強化することができる。また、このように厚みを設けた外装部５１の内部に、各種の弾性体を備えて構成してもよい。
【００８５】
また、図９に示す例においては、立体構造部５２の一面に、一対の切れ込み５２ｂが形成されており、ホログラム５３において対角線上に位置する角部がそれぞれ切れ込み５２ｂに挿入されている。すなわち、立体構造部５２におけるホログラム５３の取付面に形成された切れ込み５２ｂによって、ホログラム５３が角部で挟持されている。
【００８６】
このように、ポストカード１は、切れ込み５２ｂによってホログラム５３を支持するように構成されていることにより、ホログラム５３を立体構造部５２から着脱自在とすることができる。したがって、例えば、ホログラム５３の裏面（ホログラム面とは反対側の面）に粘着剤等を塗布しておき、この粘着剤の上に保護テープを貼り付けた状態でホログラム５３を立体構造部５２に取り付けることによって、例えば、ポストカード１の受取人が、ホログラム５３を立体構造部５２（ひいては外装部５１）から取り外し、このホログラム５３をいわばシールとして利用して、他の場所に貼り付けることが可能となる。
【００８７】
なお、上述の説明においては、ホログラム５３が対角線上に位置する角部でそれぞれ切れ込み５２ｂにより支持されるとしたが、ポストカード１においては、切れ込み５２ｂを形成する位置や数について特に限定されるものではない。具体的には、例えば、ホログラム５３の一側縁の両端部に位置する角部に対応した位置にそれぞれ切れ込み５２ｂが形成されていてもよいし、ホログラム５３における４つの角部の全てに対応した位置に４つの切れ込み５２ｂが形成されていてもよい。これらの場合であってもホログラム５３を支持することができる。
【００８８】
なお、ポストカード１においては、ホログラム５３を取り付ける構造について特に限定されるものではなく、上述したように、粘着剤や粘着テープなどによって接着したり、切れ込み５２ｂによって挟持する構造の他に、例えばクリップやステープルを用いるなどして各種の構造や手法により固定すればよい。
【００８９】
また、ポストカード１は、図９に示すような構造とされた場合であっても、例えば図１０に示すように、ホログラム５３の周囲に、例えば人物や風景などの図や写真などを印刷したり、立体構造部５２と同様な構造とされて外装部５１を開いたときに立体的に飛び出す飛び出し部５４を設けるなどしてもよい。
【００９０】
また、上述の説明においては、ホログラム５３のホログラム像に対して垂直方向（上下方向）に外装部５１が折り畳まれ、この方向に外装部５１が開けられることを想定して説明したが、ポストカード１は、このような構成とすることに限定されるものではない。
【００９１】
具体的には、例えば図１１に示すように、ホログラム５３のホログラム像に対して水平方向（左右方向）に外装部５１が折り畳まれ、この方向に外装部５１が開けられるとしてもよい。また、ポストカード１は、このように水平方向に折り畳まれる場合であっても、例えば図１２に示すように、ホログラム５３の周囲に、例えば人物や風景などの図や写真などを印刷したり、立体構造部５２と同様な構造とされて外装部５１を開いたときに立体的に飛び出す飛び出し部５４を設けるなどしてもよい。
【００９２】
ここで、反射型のホログラムは、ホログラム面に対して鉛直な平面内で、法線方向から±４５°前後（±１５°〜±８０°程度）の角度で入射される光が再生光として適している場合が多い。したがって、ホログラムを観察者が正視した状態で、このホログラムの上下方向から再生光が入射された場合に、ホログラム像が最も良好に再生されることとなる。
【００９３】
したがって、ポストカード１は、図１１に示したように、ホログラム５３のホログラム像に対して水平方向（左右方向）に外装部５１が折り畳まれる構造とすることが望ましい。この場合、外装部５１において一対の薄板状部材５１ａ，５１ｂを開く回転軸（すなわち折り部が形成された方向）が、ホログラム５３の再生に適した照明光（再生光）の入射方向と略々同一方向となる。
【００９４】
これにより、例えば図１３に示すように、ホログラム５３の上方から照射された光は遮断されずに、このホログラム５３に入射する一方で、ホログラム５３に対して水平方向から斜めに照射された光は、外装部５１の薄板状部材５１ａ，５１ｂによって遮断される。
【００９５】
したがって、外装部５１は、薄板状部材５１ａ，５１ｂを開く回転軸の方向が、ホログラム５３の再生に適した照明光の入射方向と略々同一方向とすることによって、ホログラム５３の再生に適した光だけをこのホログラム５３に入射させることができる。これにより、ホログラム５３のホログラム像の視認性を向上させて、優れた画質でホログラム像を再生することができる。
【００９６】
なお、ポストカード１においては、上述のようにホログラム５３に対して光を選択的に入射させるに際して、薄板状部材５１ａ，５１ｂが開く回転軸の方向を、ホログラム５３の再生に適した照明光の入射方向と略々同一方向とすることに特に限定されるものではなく、例えば、立体構造部５２と同様な構造とされて外装部５１を開いたときに立体的に飛び出す飛び出し部５４を設けることなどによって、外装部５１がホログラム５３に対する光の入射方向を制限してもよい。
【００９７】
ところで、ポストカード１は、立体構造部５２にホログラム５３が取り付けられた構造とされ、薄板状部材５１ａ，５１ｂが開く回転軸の方向を、ホログラム５３の再生に適した照明光の入射方向と略々同一方向とされていることから、図１５に示すように、外装部５１を開く際に、ホログラム５３に対する光の入射方向に対してホログラム面が回転することとなる。なお、図１５（ａ）は、外装部５１をホログラム５３のホログラム像に対して水平方向に開く場合の動作を時系列的に示す模式図であり、図１５（ｂ）は、このときのホログラム５３に対する光源からの光の入射方向、及び観察者の方向を示す模式図である。
【００９８】
したがって、例えばホログラム５３がホログラフィックステレオグラムである場合に、ホログラム５３に対する光の入射方向や観察者の方向が変化することから、外装部５１の開閉動作に伴って、このホログラム５３に記録されたホログラム像を連続的に順次再生することが可能となる。したがって、ポストカード１によれば、極めて簡便な構成により、立体表示された動画像を再生することが可能である。
【００９９】
なお、図１５においては、ホログラム５３のホログラム像に対して水平方向に外装部１が開閉される場合について図示しているが、上述したようにしてホログラフィックステレオグラムを再生するに際しては、このように水平方向に外装部１が開閉される場合に限定されるものではない。
【０１００】
すなわち、ポストカード１においては、薄板状部材５１ａ，５１ｂが開く回転軸の方向を、ホログラム５３の再生に適した照明光の入射方向と略々同一方向とすることにより、外装部５１の開閉動作に伴って、ホログラム５３に対する光の入射方向とホログラム面に対する観察者の視点とが順次変化することとなる。したがって、例えばホログラム５３がホログラフィックステレオグラムとして形成され、ホログラム像に対して垂直方向に複数の要素ホログラムが記録されている場合には、このホログラム像に対して垂直方向に外装部１を開閉する構造とすることによって、立体表示された動画像を良好に再生することが可能となる。
【０１０１】
また、以上の説明においては、外装部５１の内面側からみて山折りとされた構造を有する立体構造部５２にホログラム５３が取り付けられるとしたが、立体構造部５２は、外装部１を開いた状態においてこの外装部１の内面側で立体構造をなすものであれば特に限定されるものではない。
【０１０２】
具体的には例えば、上述した立体構造部５２の代わりに、可撓性を有するシート状部材により、図１６に示すような形状で立体構造部６０を構成してもよい。この場合、立体構造部６０は、例えば図１６に示すように、ホログラム５３が取り付けられ、このホログラム５３を支持するホログラム支持部６１と、このホログラム支持部６１の一側から延在された長方形状のアーム部６２と、このアーム部６２の端部に設けられ、外装部５１の内面側において所定の位置に取り付けられた取付部６３とにより構成する。
【０１０３】
なお、図１６（ａ）は、ホログラム支持部６１に対して、例えば粘着剤や接着剤、或いは粘着テープや接着テープなどによってホログラム５３を取り付ける場合における立体構造部６０の概略を示しており、図１６（ｂ）は、ホログラム支持部６１に形成された一対の切れ込み６１ａによってホログラム５３を取り付ける場合における立体構造部６０の概略を示している。なお、図１６（ｂ）に示す構造は、ホログラム支持部６１に一対の切れ込み６１ａが形成されている他は、図１６（ａ）に示す構造と同等である。
【０１０４】
そして、このように構成された立体構造部６０によりホログラム５３を支持する場合には、図１７に示すように、この立体構造部６０の取付部６３を外装部５１の内面側で所定の部位に固定する。立体構造部６０は、可撓性を有する材料によって形成されていることから、外装部５１を閉じた状態で、アーム部６２の端部近傍などの位置で撓み、厚さが薄くなる。また、外装部５１を開いた状態では、立体構造部６０が可撓性を有する材料により形成されていることから、この立体構造部６０がアーム部６２で立ち上がり、ホログラム５３を立体的に支持することとなる。
【０１０５】
このとき、立体構造部６０の取付部６３は、例えば接着剤や接着テープなどのような各種の構造や手法によって外装部に固定すればよい。また、外装部５１には、図１７に示すように、ホログラム５３の周囲に、例えば人物や風景などの図や写真などを印刷したり、立体構造部５２と同様な構造とされて外装部５１を開いたときに立体的に飛び出す飛び出し部５４を設けるなどしてもよい。
【０１０６】
ところで、立体構造部６０におけるアーム部６２は、ホログラム支持部６１近傍における幅が、取付部５３近傍における幅よりも小とされていることが望ましい。これにより、立体構造部６０は、立ち上がった状態で外部から振動が加えられた場合に、ホログラム支持部６１が並進運動や回転運動を始めるが、これらの運動がねじれ運動へと変換されやすくなる。この結果、ホログラム支持部６１に回転運動が生じやすくなる。
【０１０７】
したがって、ホログラム支持部６１によって支持されるホログラム５３は、ホログラム像に対して水平方向に回転しやすくなる。これにより、ホログラム５３に入射する光の角度と、このホログラム５３のホログラム面に対する観察者の視点方向とが順次変化することができる。このため、ホログラム５３として、例えばホログラフィックステレオグラムを用いた場合に、観察者が視点を変えることなく、ホログラム５３のホログラム面が振動することから、連続した３次元の動画像を再生することができる。
【発明の効果】
本発明に係るホログラム包装体及びホログラム展示装置は、例えば、ホログラム又はホログラフィックステレオグラムを輸送・運搬する場合、或いは収納する場合には、外装部を折畳むことによって厚さを薄くすることができる。また、このように外装部を折畳んだ状態で、外装部によってホログラム又はホログラフィックステレオグラムが挟持されることとなり、これによりホログラム面が保護された状態となる。
【０１０８】
また、本発明に係るホログラム包装体及びホログラム展示装置においては、外装部を開いた状態で立体構造をなす立体構造部が外装部の内面に配設され、この立体構造部にホログラム又はホログラフィックステレオグラムが取り付けられることとなる。したがって、この立体構造部による立体表現とホログラム像による立体表現との相乗効果により、極めて効果的な３次元表現を行うことができる。
【０１０９】
さらに、本発明に係るホログラム包装体及びホログラム展示装置においては、外装部を開いた状態で、この外装部によってホログラム又はホログラフィックステレオグラムに入射する光の方向を制限することができることから、このホログラム又はホログラフィックステレオグラムにより再生されるホログラム像の視認性を向上させることができる。
【図面の簡単な説明】
【図１】本発明の実施の形態として示すポストカードに取り付けられるホログラフィックステレオグラムを記録するホログラム用記録媒体を説明する要部断面図である。
【図２】同ホログラム用記録媒体の感光プロセスを説明する図であって、（Ａ）は、初期状態を示し、（Ｂ）は、露光状態を示し、（Ｃ）は、定着状態を示す図である。
【図３】同ホログラフィックステレオグラムを作製するホログラフィックステレオグラム作製装置の全体構成を説明する図である。
【図４】同ホログラフィックステレオグラム作製装置の光学系を説明する図であって、（Ａ）は、同ホログラフィックステレオグラム作製装置の光学系の正面図であり、（Ｂ）は、同ホログラフィックステレオグラム作製装置の光学系の平面図である。
【図５】本発明の実施の形態として示すポストカードの概略斜視図である。
【図６】本発明の別の実施の形態として示すポストカードの概略斜視図である。
【図７】同ポストカードにホログラムを取り付けた状態を示す概略斜視図である。
【図８】同ポストカードにおいて、ホログラムの周囲に図柄や写真を設けた場合の例を示す概略斜視図である。
【図９】同ポストカードの外装部に厚みを設け、切り込みによってホログラムを支持する場合の例を示す概略斜視図である。
【図１０】図９に示すポストカードにおいて、ホログラムの周囲に図柄や写真を設けた場合の例を示す概略斜視図である。
【図１１】本発明の別の実施の形態として示すポストカードの概略斜視図である。
【図１２】図１１に示すポストカードにおいて、ホログラムの周囲に図柄や写真を設けた場合の例を示す概略斜視図である。
【図１３】図１１に示すポストカードにおいて、ホログラムに入射する光の方向について説明する模式図である。
【図１４】図１１に示すポストカードにおいて、外装部によりホログラムに入射する光の方向が制限されることを説明する模式図である。
【図１５】図１１に示すポストカードにおいて、外装部を開くに伴い、ホログラムのホログラム面が回転する様子を示す模式図であり、図１５（ａ）は、その概略を時系列的に示す斜視図であり、図１５（ｂ）は、このときの光源からの光の方向と観察者の視点とを示す模式図である。
【図１６】本発明のさらに別の実施の形態として示すポストカードにおける立体構造部の構造を示す概略図であり、図１６（ａ）は、ホログラム支持部にホログラムを接着する場合の例であり、図１６（ｂ）は、ホログラム支持部にホログラムを切れ込みによって挟持する場合の例である。
【図１７】図１６に示す構造の立体構造部が取り付けられたポストカードを示す概略斜視図である。
【図１８】一般的なホログラフィックステレオグラムの作製方法を説明するための図である。
【符号の説明】
５０  ポストカード
５１  外装部
５１ａ，５１ｂ  薄板状部材
５２  立体構造部
５３  ホログラム
【図１】
0004674420.tif 000002
【図２】
0004674420.tif 000003
【図３】
0004674420.tif 000004
【図４】
0004674420.tif 000005
【図５】
0004674420.tif 000006
【図６】
0004674420.tif 000007
【図７】
0004674420.tif 000008
【図８】
0004674420.tif 000009
【図９】
0004674420.tif 000010
【図１０】
0004674420.tif 000011
【図１１】
0004674420.tif 000012
【図１２】
0004674420.tif 000013
【図１３】
0004674420.tif 000014
【図１４】
0004674420.tif 000015
【図１５】
0004674420.tif 000016
【図１６】
0004674420.tif 000017
【図１７】
0004674420.tif 000018
【図１８】
0004674420.tif 000019